(57)【要約】      （修正有）【課題】携帯用電子装置に情報を入力するための方法及び装置を提供する。【解決手段】タッピングによって入力装置の１つ以上の軸周辺の慣性変化と関連した信号を発生させるセンサーを含む入力装置である。プロセッサは、入力装置の１つ以上の軸周辺の慣性変化が入力装置のタッピングに対応するか否かを決定するためにセンサーから信号を受信する。プロセッサはまた、慣性変化が入力装置のタッピングに対応する時、入力装置の１つ以上の軸周辺の慣性変化方向に基づいて、入力装置の接触領域を識別する。【選択図】図１Ｂ
2005317031.tif 000002
【特許請求の範囲】
【請求項１】
入力装置であって、
入力装置の接触によって、前記入力装置の１つ以上の軸周辺の慣性変化と関連した信号を発生するセンサーと、
前記入力装置の１つ以上の軸周辺の慣性変化が前記入力装置の接触に対応するか否かを決定するために、前記センサーから前記信号を受信するプロセッサと、
を含み、前記プロセッサは、慣性の変化が前記入力装置の接触に対応する時、前記入力装置の１つ以上の軸周辺の慣性変化方向に基づいて、前記入力装置の接触領域を識別することを特徴とする入力装置。
【請求項２】
前記プロセッサは、
１つ以上の軸周辺の前記入力装置の角加速度の大きさが制限された一区間に対して、臨界加速度値を超過するか否かを決定する慣性変化測定部を含むことを特徴とする請求項１に記載の入力装置。
【請求項３】
前記プロセッサは、
前記制限された一区間の間に、前記臨界加速度値を超過する前記角加速度の極性を決定するための極性決定部と、
前記角加速度の前記極性が正である時、前記接触領域を前記入力装置の第１領域と識別し、前記角加速度が負である時、前記接触領域を前記入力装置の第２領域と識別する位置決定部と、
を含み、前記入力装置の第１及び第２領域は、前記１つ以上の軸によって境界付けられることを特徴とする請求項２に記載の入力装置。
【請求項４】
前記センサーは、前記入力装置の２つの垂直軸周辺の慣性変化と関連した信号を発生させることを特徴とする請求項１に記載の入力装置。
【請求項５】
前記プロセッサは、
前記２つの垂直軸それぞれの周辺で、前記入力装置の１つ以上の角加速度の大きさが、制限された１区間の間に臨界加速度値を超過するか否かを決定する慣性変化測定部を含むことを特徴とする請求項４に記載の入力装置。
【請求項６】
前記プロセッサは、
前記制限された１区間の間に、前記臨界加速度値を超過する前記角加速度値それぞれの極性を決定する極性決定部と、
前記両角加速度の極性が正である時、前記接触領域を前記入力装置の第１領域と、前記両角加速度が負である時、前記接触領域を前記入力装置の第２領域と、第１垂直軸周辺の前記角加速度の前記極性が正であり、第２垂直軸周辺の前記角加速度が負である時、前記接触領域を前記装置の第３領域に、前記第１垂直軸周辺の前記角加速度の前記極性が負であり、前記第２垂直軸周辺の前記角加速度が正である時、前記接触領域を前記装置の第４領域とそれぞれ識別し、前記入力装置の各領域を、前記垂直軸の各部分によって識別することを特徴とする請求項５に記載の入力装置。
【請求項７】
前記位置決定部は、前記制限された区間の間にただ１つの角加速度値が臨界加速度値を超過する時、前記接触領域を前記装置の領域のうち、何れか１つの境界領域と識別することを特徴とする請求項６に記載の入力装置。
【請求項８】
前記センサーは、１つ以上の軸周囲の前記入力装置の角速度と関連した信号を生成することを特徴とする請求項１に記載の入力装置。
【請求項９】
前記プロセッサは、１つ以上の軸周囲の前記装置の角加速度値を決定するために、前記角速度を区別することを特徴とする請求項８に記載の入力装置。
【請求項１０】
前記センサーは、１つ以上の軸周辺の前記入力装置の角加速度と関連した信号を発生させることを特徴とする請求項１に記載の入力装置。
【請求項１１】
前記センサーは、ジャイロスコープ、加速度計、多重軸ジャイロスコープ、及び多重軸加速度計のうち何れか１つ以上を含むことを特徴とする請求項１に記載の入力装置。
【請求項１２】
前記入力装置は、
前記センサーと前記プロセッサとの間に接続され、前記入力装置の１つ以上の軸周辺の前記慣性変化が前記入力装置のタッピングに対応するか否かを決定する前記プロセッサより先に前記プロセッサによって受信された前記信号をフィルタリングするように設定されたフィルタを含むことを特徴とする請求項１に記載の入力装置。
【請求項１３】
ハウジングと、
請求項１に記載の入力装置と、
前記入力装置に接続され、前記入力装置の前記接触領域を識別することに基づいて、１つ以上の機能を行う回路と、を含むことを特徴とする電子装置。
【請求項１４】
前記センサーは、前記電子装置の前記ハウジングに取り付けられ、前記入力装置の前記接触領域は、前記ハウジングの１つ以上の表面を含むことを特徴とする請求項１３に記載の電子装置。
【請求項１５】
堅固な表面に前記ハウジングを着脱自在に取り付けるための手段と、
１つ以上の軸周辺で前記電子装置の回転を容易にするための手段と、を含むことを特徴とする請求項１４に記載の電子装置。
【請求項１６】
前記電子装置の回転を容易にするための手段及び前記ハウジングを着脱自在に取り付ける手段は、
前記ハウジングに着脱自在に取り付けられたジンバルと、
前記堅固な表面に前記ハウジングを着脱自在に取り付けるために摩擦を提供するために、前記ハウジングに配列された複数の変形可能なスペーサと、
を含み、前記スペーサは、１つ以上の軸周辺で前記電子装置の回転を容易にするために、前記ハウジングと前記堅固な表面との間に間隔を提供することを特徴とする請求項１５に記載の電子装置。
【請求項１７】
前記センサーは、１つ以上の軸周辺で回転するように設定された、前記ハウジングの分離された回転自在部分に取り付けられ、前記入力装置の前記接触領域は、前記分離された回転自在部分を含むことを特徴とする請求項１３に記載の電子装置。
【請求項１８】
前記電子装置は、
携帯電話、ＰＤＡ、及び電子ゲームのうち何れか１つ以上を含むことを特徴とする請求項１３に記載の電子装置。
【請求項１９】
前記１つ以上の機能は、
ボリュームを制御する機能、メニューをスクローリングする機能、アイテムリストをスクローリングする機能、リストに含まれたアイテムまたはメニューのアイテムを選択する機能、及び文字やシンボルをディスプレイする機能を含むことを特徴とする請求項１３に記載の電子装置。
【請求項２０】
前記１つ以上の機能を識別する聴覚応答を提供する入力フィードバック部は、前記入力装置の前記接触領域の識別に基づいて行われることを特徴とする請求項１３に記載の電子装置。
【請求項２１】
前記プロセッサは、
前記入力装置の複数のタッピングに対応する前記入力装置の１つ以上の軸周辺の多数の慣性変化をタイムフレーム内で検出し、前記入力装置に結合された前記回路は、前記時間フレーム内で検出された複数の前記タッピングに対応する前記識別された接触領域の順序に基づいて、１つ以上の機能を行うことを特徴とする請求項１３に記載の電子装置。
【請求項２２】
１つ以上の機能は、
前記時間フレーム内で検出された前記複数のタッピングに対応する前記識別された接触領域の順序と関連して文字を認識する機能を含むことを特徴とする請求項２１に記載の電子装置。
【請求項２３】
前記入力装置の前記接触領域は、
キーパッド、タッチパッド、タッチスクリーン及び前記装置のディスプレイのうち、何れか１つ以上を含むことを特徴とする請求項１３に記載の電子装置。
【請求項２４】
キーパッド、タッチパッド、タッチスクリーン、ディスプレイ、ジョイスティック、マウス及びオーディオ応答部より構成されたグループから選択された１つ以上の他の入力装置を含むことを特徴とする請求項１３に記載の電子装置。
【請求項２５】
前記プロセッサは、１つ以上の口頭命令に基づいて、前記入力装置を作動しないように設定し、タイムフレーム、手動スイッチ及び近接スイッチ内で前記入力装置を数回タッピングすることを特徴とする請求項１３に記載の電子装置。
【請求項２６】
電子装置に情報を入力する方法であって、
入力装置の接触に対して、前記入力装置の１つ以上の軸周辺の慣性変化を測定する段階と、
前記入力装置の１つ以上の軸周辺の前記慣性変化が前記入力装置のタッピングに対応するか否かを決定する段階と、
前記慣性変化が前記入力装置のタッピングに対応する時、前記入力装置の１つ以上の軸周辺の前記慣性変化の方向に基づいて、前記入力装置の接触領域を識別する段階と、を含むことを特徴とする電子装置への情報入力方法。
【請求項２７】
前記入力装置の１つ以上の軸周辺の前記慣性変化が前記入力装置のタッピングに対応するか否かを決定する段階は、
制限された区間に対して、前記１つ以上の軸周辺の前記入力装置の角加速度の大きさが臨界加速度値を超過するか否かを決定する段階を含むことを特徴とする請求項２６に記載の電子装置への情報入力方法。
【請求項２８】
前記入力装置の接触領域を識別する段階は、
前記制限された区間の間に前記臨界加速度値を超過する前記角加速度の極性を決定する段階と、
前記角加速度の前記極性が正である時、前記接触領域を前記入力装置の第１領域と、前記角加速度が負である時、前記接触領域を前記入力装置の第２領域とそれぞれ識別し、前記入力装置の前記第１及び第２領域に１つ以上の軸によって区分される識別段階と、を含むことを特徴とする請求項２７に記載の電子装置への情報入力方法。
【請求項２９】
前記入力装置の前記接触によって、前記入力装置の２つの垂直軸周囲の慣性の変化を測定する段階を含むことを特徴とする請求項２６に記載の電子装置への情報入力方法。
【請求項３０】
前記入力装置の１つ以上の軸周辺の前記慣性変化が前記入力装置のタッピングに対応するか否かを決定する段階は、
前記垂直軸それぞれの周囲の前記入力装置の１つ以上の角加速度の大きさが制限された区間に対して臨界加速度値を超過するか否かを決定する段階を含むことを特徴とする請求項２９に記載の電子装置への情報入力方法。
【請求項３１】
前記装置の接触領域を識別する段階は、
前記制限された区間の間に前記臨界加速度値を超過する前記角加速度それぞれの極性を決定する段階と、
前記両角加速度の極性が正である時、前記接触領域を前記入力装置の第１領域と、前記両角加速度の極性が負である時、前記接触領域を前記入力装置の第２領域と、第１垂直軸周辺の前記角加速度の前記極性が正であり、第２垂直軸周辺の前記角加速度が負である時、前記接触領域を前記装置の第３領域と、前記第１垂直軸周辺の前記角加速度の前記極性が負であり、前記第２垂直軸周辺の前記角加速度が正である時、前記接触領域を前記装置の第４領域とそれぞれ識別し、前記入力装置の各領域は、前記垂直軸の各部分によって区分される識別段階と、
を含むことを特徴とする請求項３０に記載の電子装置への情報入力方法。
【請求項３２】
前記装置の接触領域を識別する段階は、
前記制限された区間の間に、ただ１つの角加速度値が臨界加速度値を超過する時、前記接触領域を前記装置の領域のうち、何れか１つの境界領域と識別する段階を含むことを特徴とする請求項３１に記載の電子装置への情報入力方法。
【請求項３３】
前記１つ以上の軸周辺の前記入力装置の前記角速度を測定する段階と、
前記１つ以上の軸周辺の前記装置の角加速度を決定するために前記角加速度を区別する段階と、
を含むことを特徴とする請求項２６に記載の電子装置への情報入力方法。
【請求項３４】
前記１つ以上の軸周辺の前記入力装置の角加速度を測定する段階を含むことを特徴とする請求項２６に記載の電子装置への情報入力方法。
【請求項３５】
前記慣性変化が前記入力装置のタッピングに対応するか否かを決定する段階前に、前記入力装置の前記１つ以上の軸周囲の前記測定された慣性変化をフィルタリングする段階を含むことを特徴とする請求項２６に記載の電子装置への情報入力方法。
【請求項３６】
前記入力装置の前記接触領域の前記識別に基づいて、１つ以上の機能を行う段階を含むことを特徴とする請求項２６に記載の電子装置への情報入力方法。
【請求項３７】
１つ以上の機能を行う段階は、
ボリュームを制御する機能、メニューをスクローリングする機能、アイテムリストをスクローリングする機能、リストに含まれたアイテムまたはメニューのアイテムを選択する機能、及び文字やシンボルをディスプレイする機能のうち、何れか１つ以上を含むことを特徴とする請求項３６に記載の電子装置への情報入力方法。
【請求項３８】
前記入力装置の前記接触領域の前記識別に基づいて、１つ以上の機能を行うことを表示する聴覚フィードバックを提供する段階を含むことを特徴とする請求項３６に記載の電子装置への情報入力方法。
【請求項３９】
前記入力装置の複数のタッピングに対応する前記入力装置の１つ以上の軸周辺の複数の慣性変化をタイムフレーム内で検出する段階を含み、
前記入力装置に結合された前記回路は、前記時間フレーム内で検出される前記複数のタッピングに対応する前記識別された接触領域の順序に基づいて、１つ以上の機能を行うことを特徴とする請求項３６に記載の電子装置への情報入力方法。
【請求項４０】
１つ以上の機能を行う段階は、
前記タイムフレーム内で検出された前記複数のタッピングに対応する前記識別された接触領域の順序に関連した文字を認識する段階を含むことを特徴とする請求項３９に記載の電子装置への情報入力方法。
【請求項４１】
１つ以上の口頭命令に基づいて、前記入力装置を作動しないように設定する段階と、
前記入力装置の手動スイッチを活性化させる段階と、
前記入力装置の近接スイッチを活性化させる段階と、を含むことを特徴とする請求項２６に記載の電子装置への情報入力方法。
【請求項４２】
情報を電子装置に入力するためのコンピュータプログラムを含むコンピュータ判読媒体として、前記コンピュータプログラムは、
前記入力装置の接触によって入力装置の１つ以上の軸周辺の慣性の変化を測定するための命令と、
前記入力装置の１つ以上の軸周辺の前記慣性変化が前記入力装置のタッピングに対応するか否かを決定する命令と、
前記慣性変化が前記入力装置のタッピングに対応する時、前記入力装置の１つ以上の軸周辺の前記慣性変化の方向に基づいて、前記入力装置の接触領域を識別する命令と、
を行うための実行可能命令を含むことを特徴とするコンピュータ判読媒体。
【請求項４３】
前記コンピュータプログラムは、
制限された区間の間に、前記垂直軸それぞれの周辺の前記入力装置の１つ以上の角加速度の大きさが臨界加速度値を超過するか否かを決定する実行可能命令を含むことを特徴とする請求項４２に記載のコンピュータ判読媒体。
【請求項４４】
前記コンピュータプログラムは、
前記制限された区間の間に、前記臨界加速度値を超過する前記角加速度それぞれの極性を決定する命令と、
前記両角加速度の極性が正である時、前記接触領域を前記入力装置の第１領域と、前記両角加速度の極性が負である時、前記接触領域を前記入力装置の第２領域と、第１垂直軸周辺の前記角加速度の前記極性が正であり、第２垂直軸周辺の前記角加速度が負である時、前記接触領域を前記装置の第３領域と、前記第１垂直軸周辺の前記角加速度の前記極性が負であり、前記第２垂直軸周辺の前記角加速度が正である時、前記接触領域を前記装置の第４領域とそれぞれ識別し、前記入力装置の各領域は、前記垂直軸の各部分によって区分される識別命令と、
を行うための実行可能な命令を含むことを特徴とする請求項４３に記載のコンピュータ判読媒体。
【請求項４５】
前記制限された区間の間に、ただ１つの角加速度値が臨界加速度値を超過する時、前記接触領域を前記装置の領域のうち、何れか１つの境界領域と識別する実行可能な命令を含むことを特徴とする請求項４４に記載のコンピュータ判読媒体。
【発明の詳細な説明】
【技術分野】
【０００１】
本発明は、携帯用電子装置に情報を入力するための方法及び装置に関する。
【背景技術】
【０００２】
携帯用電子装置の利用の拡大につれて、携帯装置に情報を入力する多様な入力装置が発展しつつある。このような入力装置は、キーパッド、タッチパッド、タッチスクリーン、ディスプレイ、ジョイスティック及びマウスまたは鉄筆（スタイラス）のようなポインティング装置を含む。このような入力装置のデザインは、入力される情報を処理するために必要な基本的な電子技術となり得るように、複雑になる場合がある。さらに、このような入力装置を利用する場合にはある程度の敏捷性が要求され、特に身体に障害を有する人々にとって使用し難いと問題が生じるおそれがある。身体的な障害を有する人々には、ユーザ情報を入力しやすい簡単なインターフェースが有用である。
【０００３】
例えば、電子装置の機能を活性化するために、ユーザは、キーパッドの特定キーを押す、またはタッチスクリーンやタッチパッドの特定領域を活性化する必要がある。このよな処理を行うためには、ユーザは視力を必要とし、タッチスクリーンまたはタッチパッドの相対的に小さなキーまたは相対的に小さな領域を活性化することができるだけの敏捷性が要求される。したがって、望ましくは、相対的に大きい空間を利用する電子装置に接触またはタッピングすることによって、簡単に機能を活性化できる方法が好ましい。このような接触による入力動作は、たとえばＰＤＡ（Ｐｅｒｓｏｎａｌ Ｄｉｇｉｔａｌ Ａｓｓｉｓｔａｎｔ：個人携帯情報端末機）でスタイラスを利用するように、タッピング動作の形態を取りうる。本明細書で使われるタッピング動作は、弱くまたは軽く叩くことを意味する。そのような動作は、持続性が制限されることから、それに対応する慣性の変化を検出することができる。
【０００４】
タッピング動作は、これに適したセンサーや検出器を利用して検出することができ、検出されたタッピングに対応した機能を実行するように構成できる。例えば、特許文献１には、検出された動きの発生回数、強度、方向を分析する動き分析ユニット及び動き検出ユニットを有する構成について説明している。ここでの検出された動きは、機能を活性化させるための単純なスイッチ（オンまたはオフ）が利用される。このような特許文献１に記載された構成では、動きの発生を判断することはできるが、動きが発生した接触領域を識別することができない。このことから、特許文献１に記載の構成において、検出された動きに対応する機能を起動させた後、さらに複雑な機能を起動させたり、その機能の制御を行うためには、キーパッドやタッチスクリーンなどの他の入力部を用いてユーザが入力を行う必要がある。
【特許文献１】米国特許第６,３６９,７９４号明細書
【発明の開示】
【発明が解決しようとする課題】
【０００５】
本発明が解決しようとする技術的課題は、上下左右のタッピングを、慣性センサーを利用して識別し、他の入力部を用いることなく、他の複雑な機能を起動したり、機能の制御を行うための入力を可能にする電子装置に情報を入力するための方法及びその装置を提供することである。
【課題を解決するための手段】
【０００６】
本発明の望ましい１実施例であって、入力装置は、センサーを含み、前記センサーは、入力装置のタッピングに対応する入力装置の１つ以上の軸周囲の慣性変化と関連した信号を発生させるように設定される。プロセッサは、前記入力装置の１つ以上の軸周囲の慣性変化が前記入力装置のタッピングに対応するか否かを決定する前記センサーから信号を受信する。また、前記プロセッサは、慣性変化が入力装置のタッピングに対応する時、入力装置の１つ以上の軸周囲の慣性変化方向に基づいて、入力装置の接触領域を識別する。
【０００７】
本発明のさらに他の実施例によって、情報を携帯用電子装置に入力するシステムが説明される。前記システムは、ハウジングと入力装置との接触によって、入力装置の１つ以上の軸周辺に慣性変化と関連した信号を生成するセンサーを有する入力装置を含む。また、前記入力装置は、入力装置の１つ以上の軸周辺の慣性変化が入力装置のタッピングに対応するか否かを決定する前記センサーから信号を受信する。また、前記プロセッサは、慣性変化が入力装置のタッピングに対応する時、入力装置の１つ以上の軸周辺の慣性変化の方向に基づいて、入力装置の接触領域を識別する。前記システムは、入力装置の接触領域の識別に基づいて、１つ以上の機能を行う入力装置に結合された回路を含む。
【０００８】
望ましい１実施例により、電子装置に情報を入力する方法は、入力装置の接触によって入力装置の１つ以上の軸周辺の慣性変化を測定する。入力装置の１つ以上の軸周辺の慣性変化が入力装置のタッピングに対応するか否かについての決定がなされる。入力装置の接触領域は、慣性の変化が前記入力装置のタッピングに対応する時、入力装置の１つ以上の軸周辺の慣性の変化に基づいて識別される。
【発明の効果】
【０００９】
本発明は、タッピングをキー入力によって感知するので、従来のキー入力装置のように、外部にボタンを備える必要がなく、現在、小型化される入力装置でボタンが小型化され、互いに隣接して位置することによって、ボタンを間違って押す誤動作を減らすことができ、従来のキー入力装置に本発明を適用することによって入力ボタンの数を減らすことができる。
【００１０】
また、本発明によるキー入力装置の４個のキーを通じて、文字及び数字を形状化して入力しうる。特に、デジタルＴＶなど、双方向通信がなされるホームネットワーク装置に使われるリモコンに本発明を適用することによって、リモコンのボタン数を減らし、４個のキーを通じて形状化した文字及び数字を入力させて双方向通信を容易にしうる。
【発明を実施するための最良の形態】
【００１１】
以下、添付された図面を参照して本発明をさらに詳細に説明する。
図１Ａないし図１Ｄは、携帯用電子装置としての携帯電話１００及び携帯電話１００に情報を入力するための典型的な入力装置１１２，１１４を図示する。図１Ａに示すように、携帯電話１００は数字キーパッド１０２及びディスプレイ１０４を有する。携帯電話１００は、タッチパッド、タッチスクリーン、または他の類似装置などの入力部１０６を含む。入力部１０６は、携帯電話１００の移動に伴って１つ以上の軸に対して回転し、たとえば図１Ｂ、図１Ｃに図示した軸１１８，１２２を入力部１０６の回転軸とする。また、携帯電話１００は、スピーカ１０８と、携帯電話１００の音声応答装置の部分としてマイクロホン１１０とを含む。図１Ｂ及び図１Ｃは、入力部１０６の実施例としてそれぞれ入力装置１１２，１１４を用いた例を示しており、携帯電話１００のハウジング部分１２４の内部を説明のため透視して図示している。
【００１２】
それぞれの入力装置１１２，１１４は、携帯電話１００の接触部によって入力装置１１２，１１４の１つ以上の軸１１８周辺の慣性変化と関連した信号を発生させるセンサー１１６を含む。センサー１１６は、ジャイロスコープ、加速度計、多重軸ジャイロスコープ、及び多重軸加速度計のうち、何れか１つ以上を含む。携帯電話１００では、タッピング位置を表す信号を生成可能ないかなる装置でも使用することができる。前述したように、タッピングは、弱くまたは軽く叩く行為を含む。そのような動作は、持続性が制限され、センサー１１６によって、その持続性に対応する慣性の変化を検出できる。タッピングという用語は、単に例示的なものであって、センサー１１６によって検出されうる客体について打撃を加えるいかなる行為でも含む意味である。
【００１３】
例えば、図１Ｂで、ユーザが軸１１８の右側をタッピングすることによって、静的状態の携帯電話１００のハウジング１２４のうち軸１１８の右側部分に該当する部分に接触する時、携帯電話１００は、軸１１８の時計回り方向に回転する。携帯電話１００のこのような慣性の変化は、例えば、角加速度または角速度変化を測定するセンサ１１６によって検出し慣性の変化と関連した信号を発生するように構成できる。図１Ｃに示された構成において同様のことを実行する場合、ユーザは、入力部１０６に対して軸１１８の右側に接触する。例えば、軸１１８の右側部分をタッピングすることによって、入力部１０６は、軸１１８に対して時計回り方向に回転する。このような入力部１０６の慣性の変化は、例えば、角加速度または角速度の変化を測定するセンサー１１６により検出し慣性の変化と関連した信号として生成するように構成できる。
【００１４】
図２は、携帯電話１００の表面の上側、下側、左側及び右側部分において携帯電話のハウジング１２４が接触するか、またはタッピング部分によって静的状態の携帯電話１００に発生する角加速度を表示するグラフを示す。グラフで、実線は、携帯電話１００の表面が左側または右側に回転している時、すなわち、携帯電話をタッピングすることによって、携帯電話が軸１１８の中心に回転している時、角加速度ωyを示す。点線は、携帯電話１００の表面が上側、下側に回転している時、すなわち、携帯電話をタッピングすることによって、携帯電話がｘ軸１２２を中心に回転している時、角加速度ωxを示す。図面に円形で表示されたピーク点は、携帯電話がタッピングされる時の角速度を表示する。このタッピング動作は、制限された持続区間の間にのみ存在する角速度の急激な変化を発生させ、角速度は、携帯電話１００のセンサー１１６によって測定される。角速度は、例えば、軸１１８，１２２の交差地点の近くで携帯電話のハウジング１２４に取り付けられた多重軸ジャイロスコープ１１６を利用して測定することができる。
【００１５】
例えば、ユーザが歩くか、または運送手段を運転しつつ携帯電話１００をタッピングする場合、意図しない携帯電話１００の動きは、携帯電話１００がタッピングされたことを識別する角速度の急激な変化を崩壊するか、または無くする。
図３は、移動している状態で、携帯電話のハウジング１２４の上部、底部、左側及び右側部分をタッピングまたは接触した場合の携帯電話１００の角速度のグラフを示す。図面に示されたように、携帯電話１００がタッピングされる時間を表示する急激なピーク値は、携帯電話の移動によって誘発された“背景ノイズ”によって崩壊するか、または無くなる。
【００１６】
携帯電話１００の動きが比較的一定の場合、例えば、ユーザが携帯電話１００を有して歩いているか、または運転している場合、携帯電話１００の角加速度を利用して、携帯電話をタッピングする時をさらに容易に把握できる。
図４は、携帯電話表面の上側、下側、左側及び右側部分をタッピングするか、または接触する時、移動中である携帯電話１００の角加速度のグラフを示す。実線は、携帯電話１００の表面が左側または右側に回転する時、すなわち、携帯電話がｙ軸１１８を中心に回転している時、角加速度αyを表示する。点線は、携帯電話１００の表面が上下に回転している時、すなわち、携帯電話がｘ軸１２２を中心に回転している時、角加速度αxを表示する。図４に円で表示されたピーク値は、携帯電話をタッピングした時の角加速度を表す。図４に示されたように、制限された持続区間で鋭いピーク値を有する角加速度の変化は、携帯電話１００の一定の動きによって発生した０に近い角加速度と比較して明確に識別される。
【００１７】
角加速度は、携帯電話のハウジング１２４のｘ、ｙ軸１１８，１２２の交差点の近くに取り付けられた多重軸加速度計１１６を利用して測定することができる。多重軸加速度計１１６は、測定された角加速度に対応する信号を発生させる。さらに他の例として、多重軸ジャイロスコープ１１６を利用して測定された角加速度を微分して携帯電話１００の角加速度を算出できる。また、多重軸ジャイロスコープ１１６は、携帯電話のハウジング１２４のｘ、ｙ軸１１８，１２２が交差する点の近くに取り付けることができる。
【００１８】
図１で、入力装置１１２，１１４は、信号処理プロセッサ、多重目的プロセッサ、ＣＰＵ（Ｃｅｎｔｒａｌ Ｐｒｏｃｅｓｓｉｎｇ Ｕｎｉｔ）のように、センサー１１６から信号を受信するように構成されたプロセッサ１２０も含む。プロセッサ１２０は、入力装置の１つ以上の軸１１８，１２２を中心に発生した慣性の変化が入力装置１１２，１１４のタッピングに対応するか否かを決定するために、センサーから信号を受信する。図１Ｄに示されたように、プロセッサ１２０は、センサー１１６と接続された慣性変化測定部１２６を含む。慣性変化測定部１２６は、１つ以上の軸１１８を中心に入力装置１１２，１１４の角加速度が制限された持続区間で臨界加速度値を超過するか否かを決定する。１実施例で、臨界値は、０.１秒当たり約３ｒａｄ／sec2と決定されうる。図４に示された角加速度の大きさは、制限された持続区間について臨界値を超過するか否かを決定し、これは、携帯電話１００をタッピングしたか否かを表す。
【００１９】
また、プロセッサ１２０は、慣性の変化が入力装置１１２，１１４のタッピングに対応する時、少なくとも１つの軸を中心に発生した入力装置の慣性の変化方向に基づいて、入力装置１１２，１１４の接触領域を識別する。例えば、プロセッサ１２０は、極性区別部１２８を含み、極性区別部１２８は、慣性変化測定部１２６に接続され、制限された持続区間の間に臨界加速度値を超過する角加速度の極性を把握する。また、プロセッサ１２０は、位置決定部１３０を含み、位置決定部は、極性決定部１２８と接続され、角加速度が‘＋（正）’である時、接触領域として入力装置１１２，１１４の第１領域を識別し、角加速度が‘−（負）’である時、接触領域として入力装置１１２，１１４の第２領域を識別する。
【００２０】
例えば、図１Ｂに示された携帯電話１００の底部または右側部分をタッピングすることによって発生する図４に示された角加速度カーブは、‘＋’角加速度を発生させる。極性決定部１２８は、角加速度が‘＋’であるか否かを把握でき、その後、この情報を位置決定部１３０に伝送する。角加速度の極性は、接触された第１領域が携帯電話１００の底部または右側部分であるか識別可能にする。
【００２１】
また、図１Ｂに示された携帯電話１００の上側または左側部分をタッピングすることによって発生する図４に示された角加速度カーブは、‘−’角加速度を発生させる。極性決定部１２８は、角加速度が‘−’であるか否かを把握でき、その後、この情報は、接触された第２領域が携帯電話１００の上側または左側部分であるか識別可能にする。入力装置１１２の第１及び第２地域は、１つ以上の軸１１８によって境界を定めうる。図１Ｂは、ｙ軸１１８によって境界が定められる携帯電話の第１領域または右側領域と第２領域または左側領域とを示す。
【００２２】
前述したように、センサー１１６は、入力装置１１２の２つの垂直軸１１８,１２２周辺の慣性変化と関連した信号を生成しうる。例えば、センサーとして多重軸ジャイロスコープまたは多重軸加速度計１１６を利用する。このような配列において、慣性変化測定部１２６は、垂直軸１１８，１２２の周辺入力装置１１２，１１３の角加速度値のうち、何れか１つ以上の大きさ値が制限された持続区間についての臨界加速度値を超過するか否かを決定する。極性決定部１２８は、それぞれの角加速度の極性が制限された持続区間の間に臨界加速度値を超過するか否かを決定する。
【００２３】
位置決定部１３０は、極性決定部１２８によって決定される垂直軸１１８，１２２それぞれにおいて、周辺角加速度内の変化の方向に基づいて、入力装置１１２，１１３の接触領域を識別できる。例えば、図１Ｂに示された携帯電話１００の下側の右側部分（下右側部）をタッピングすることは、図４に示された角加速度カーブをもたらし、これは、角加速度において、２つの‘＋’変化を表す。
【００２４】
位置決定部１３０は、両角加速度の極性が‘正’である時、接触された第１領域として入力装置１１２の下側の右側部分（下右側部）を識別できる。このように、図１Ｂに示された携帯電話１００の上側の左側部分（上左側部）をタッピングすることによって、図４に示された角加速度カーブをもたらし、これは、角加速度において、２つの‘−’変化を表示する。位置決定部１３０は、両角加速度の極性が正である時に接触された第２領域であって、入力装置１１２の上側の左側部分（上左側部）を識別できる。
【００２５】
位置決定部１３０は、垂直軸で第１軸周辺の角加速度の極性が正である時、そして、垂直軸のうち、第２軸周辺の角加速度が負である時に接触された領域であって、装置の第３領域を識別できる。例として、携帯電話１００の上側の右側部分（上右側部）をタッピングすることによってもたらされる図４に示された角加速度カーブを考える。垂直軸のうち、第１軸１１８周辺の角加速度は、正であり、垂直軸のうち、第２軸１２２周辺の角加速度は、負である。
【００２６】
また、位置決定部１３０は、第１垂直軸周辺の角加速度の極性が負であり、第２垂直軸周辺の角加速度が正である時に接触された領域であって、装置の第４領域を識別できる。例えば、携帯電話１００の下側の左側部分（下左側部）をタッピングすることによってもたらされる図４に示された角加速度カーブを考える。第１垂直軸１１８周辺の角加速度は負であり、第２垂直軸１２２周辺の角加速度は正である。
【００２７】
入力装置１１２の各領域（下左側部、上左側部）、上右側部、及び下左側部）は、垂直軸１１８，１２２の各部分によって境界付けられる。センサー１１６の方向、例えば、多重軸加速度計１１６は、オフセット垂直軸１１８，１２２になるために、携帯電話の表面からオフセットされうる。このようなオフセット垂直軸１１８，１２２は、順に、入力装置１１２，１１４の右側、左側、上側及び下側部分にそれぞれ対応する入力装置の新たな接触領域を境界付けることができる。
【００２８】
１実施例によれば、位置決定部１３０は、また、制限された持続区間の間にただ１つの角加速度が臨界加速度値を超過する時の接触領域であって、この領域のうち何れか１つを境界領域として識別できる。例えば、再び図１Ｂに示された配列を考える。このとき、センサー１１６は、入力装置１１２の２つの垂直軸１１８，１２２周辺の慣性変化と関連した信号を生成する。ユーザが実質的に入力装置１１２の中央部と右側の角周辺とをタッピングする場合、単に軸１１８周辺の角加速度のみが制限された持続区間の間に臨界加速度値を超過する。軸１２２周辺には、角加速度がほとんどないか、または全く存在していない。それは、この実施例で、ユーザは、実質的に軸１２２上の入力装置をタッピングしたためである。境界領域の程度は、垂直軸１１８，１２２それぞれにおいて、周辺慣性モーメントによって決定される。センサーは、ハウジング１２４の中央に近く配列されるか、または携帯電話１００の入力領域１０６に配列されることが望ましい。
【００２９】
前述したように、センサー１１６は、１つ以上の軸１１８周辺の入力装置１１２，１１４の角速度と関連した信号を生成する。携帯電話１００の移動により発生する背景ノイズが問題となる場合、プロセッサ１２０は、１つ以上の軸１１８の周辺装置１１２の角加速度を決定するために角速度を差別化できる。センサーは、また、１つ以上の軸１１８，１２２周辺の入力装置１１２，１１４の角加速度と関連した信号を生成する。また、フィルタ（図示せず）は、１つ以上の入力装置の軸周辺の慣性変化が入力装置のタッピングに対応するか否かを決定するプロセッサよりプロセッサ１２０によって先に受信される信号をフィルタリングするために、センサー１１６とプロセッサ１２０との間に接続されうる。例えば、フィルタは、角速度または角加速度測定を妨害できる振動を除去する減衰回路とすることができる。
【００３０】
本発明のさらに他の実施例で、電子装置１００は、入力装置１１２，１１４に結合された回路を含み、これは、入力装置１１２，１１４の接触領域の識別性に基づいて、１つ以上の機能を行う。回路は、機能を行うためにプロセッサ１２０によって実行されうるプログラム命令を保存するためのメモリ（図示せず）を含みうる。
前述した機能は、スピーカ１０８を通じてプレイされるオーディオのボリュームを制御する機能を含む。前述の機能はまた、ディスプレイ１０４に現れるメニューをスクローリングする機能を含む。前述の機能はまた、携帯電話１００の入力部１０６またはディスプレイ１０４上に現れるアイテムリストをスクローリングする機能を含む。また、前述の機能は、ディスプレイ１０４または入力地域１０６にディスプレイできるリストに含まれたアイテムやメニューアイテムを選択する機能を含みうる。また、前述の機能は、ディスプレイ１０４上に文字やシンボルをディスプレイする機能を含む。電子装置１００は、入力装置の接触領域の識別性に基づいて行われる１つ以上の機能を識別するために、聴覚的応答を提供するように設定された入力フィードバック部（図示せず）も含む。この聴覚的応答は、スピーカ１０８を通じて提供することができる。
【００３１】
さらに他の実施例によって、プロセッサ１２０は、入力装置１１２，１１４の複数のタッピングに対応する入力装置１１２，１１４の１つ以上の軸１１８周辺の複数の慣性変化を時間フレーム内で検出しうる。電子装置１００に含まれた回路は、時間フレーム内に検出された複数のタッピングに対応する識別された接触領域の順序に基づいて、１つ以上の機能を行う。例えば、１つ以上の機能は、多重レベル、メニュー駆動ユーザインターフェース内の下位メニューレベルに含まれる機能を行い、そして、直接的にナビゲートするためのホットキーを活性化する段階を含む。
【００３２】
さらに他の実施例によって、１つ以上の機能は、時間区域内で検出された複数のタッピングに対応する識別された接触領域と関連した文字を認識する段階を含む。図５は、図示された文字を形成するために、入力装置１１２，１１４を利用して入力される一連のタッピングの実施例を示している。ユーザは、例えば、所定の時間区間の間、例えば、３秒、可視の隣接地域内で連続的に入力装置１２，１１４をタッピングできる。慣性変化測定部１２６、極性決定部１２８、及び位置決定部１３０を含むプロセッサ１２０は、前述した技術を利用してタッピングした領域を識別できる。識別された接触領域の順序と関連した適合文字は、その後に入力地域１０６内またはディスプレイ１０４上に表示される。
【００３３】
図１Ｂに示された実施例と一致して前述したように、センサー１１６は、電子装置１００のハウジング１２４に取り付けることができる。センサー１１６は、図面に示されたように、ハウジング１２４の中心に近くに取り付けることが望ましい。そのような配列において、電子装置のいかなる部分でも、入力装置の接触領域としての役割を担当しうる。１実施例によって、接触された領域は、ハウジングの１つ以上の表面を含み、電子装置１００の前面に対応する表面を含むことが望ましい。
【００３４】
電子装置全体が入力装置の接触部としての役割を行う時、１つ以上の軸周辺の電子装置の回転を促進するために、堅固な表面及び手段に着脱自在にハウジングを固定するための手段を含むことが有用である。例えば、図６Ａ及び６Ｂで、ジンバル６００が電子装置１００のハウジング１２４及び堅固な表面６０２に着脱自在に取り付けることが示されている。堅固な表面６０２は、計器盤またはクラスターのような自動車内部の表面でありうる。ジンバル６００は、装置が垂直軸１１８，１１２周辺のいかなる方向でも実質的に回転自在にする。簡単に分離可能なボールジョイントの配列が図面に示されているが、当業者は、他の形態のデザインが使用されうるということが分かる。図６Ａは、軸１２２周辺の装置の動きを示し、図６Ｂは、軸１１８周辺の動きを示す。前述した構成はまた、両垂直軸１１８，１２２周辺の混合された動きを容易にする。
【００３５】
図６Ｃは、ハウジングを着脱自在に取り付けるための手段と電子装置の回転を容易にするための手段とを示し、また、これらは、堅固な表面６０２にハウジング１２４を着脱自在に取り付ける際の摩擦Ｆを提供するために、ハウジング１２４上に配置された複数の変形可能な形態のスペーサ６０４を含む。スペーサは、１つ以上の軸１１８周辺の電子装置の回転を容易にするために、堅固な表面６０２とハウジング１２４との間に間隔Ｄを提供する。
【００３６】
さらに他の本発明の実施例によって、センサー１１６は、１つ以上の軸１１８周辺を回転するように設定されたハウジングで、別途に回転自在な部分に取り付けられる。例えば、図１Ｂは、ハウジング１２４で、別途に回転自在部分に取り付けられたセンサー１１６の構成を示す。この回転自在部分は、軸１１８周辺の回転自在な部分として設定される。入力装置１１４の接触領域は、別途に回転自在な部分を含み、その結果、ユーザは、電子装置１００の機能を活性化させるために回転自在部分をタッピングすることができる。この回転自在部分は、タッチパッドまたはタッチスクリーンのような入力領域に対応する。
【００３７】
電子装置が、本発明で単に携帯電話として説明されたにも拘わらず、当業者は、装置１００がまた、ＰＤＡまたは電子ゲームとなりうることを認識せねばならない。しかも、入力装置１１２，１１４の接触領域は、キーパッド、タッチパッド、タッチスクリーン及びディスプレイ装置のような電子装置の１つ以上の他の部分に含まれうる。入力装置１１２，１１４に加えて、電子装置は、キーパッド、タッチパッド、タッチスクリーン、ディスプレイ、ジョイスティック、マウス及び音声応答部のような他の入力装置を含む。プロセッサ１２０は、時間フレーム、手動スイッチ及び近接スイッチ内で、数回入力装置をタッピングしつつ、口頭命令に起因して入力装置１１２，１１４を作動不能に設定できる。
【００３８】
図７は、携帯用電子装置に情報を入力するための方法の１実施例を示すフローチャートである。この方法は、前述した１実施例である配列を利用して行われるが、これは１実施例に過ぎず、本発明の技術的思想を制限するものではない。この方法は、ブロック７０２で入力装置の接触による入力装置の１つ以上の軸周辺の慣性の変化を測定しつつ開始する。ブロック７０４で、入力装置の１つ以上の軸周辺の慣性の変化が入力装置のタッピングに対応するか否かが決定される。ブロック７０６で、入力装置の接触領域は、慣性の変化が入力装置のタッピングに対応する時、入力装置の１つ以上の軸周辺の内部慣性の変化方向に基づいて識別される。
【００３９】
１実施例によって、入力装置の１つ以上の軸周辺の慣性の変化が入力装置のタッピングに対応するか否かを決定する段階は、制限された持続区間について、１つ以上の軸周辺の入力装置の角加速度の大きさが臨界加速度値を超過するか否かを決定する段階を含む。例えば、図４は、携帯電話１００がその表面の上側、下側、左側及び右側部分に接触するか、またはタッピングするにつれて移動する携帯電話１００の角加速度グラフを示す。図面に示されたように、相対的に頻度の高いタッピングは、携帯電話１００の‘０’ではない、ほぼ一定の動きの角加速度値と比較する時、制限された区間内で角加速度の急激なピーク値の変化としてグラフに明確に示される。約０.１秒間に約３ｒａｄ／sec２と設定された場合、図４に示された角加速度の大きさは、制限された区間について臨界加速度値を超過すると決定され、これは、携帯電話１００が接触されるか、または外部のタッピングがあったことを表す。
【００４０】
さらに他の実施例において、入力装置の接触領域を識別することは、制限された区間の間に臨界加速度値を超過する角加速度の極性を決定する段階を含む。入力装置の第１領域は、角加速度の極性が正である時、接触領域として識別される。それと同様に、入力装置の第２領域は、角加速度が負である時、接触領域として識別される。入力装置の第１及び第２領域は、１つ以上の軸によって境界付けられる。
【００４１】
例えば、図４に示された角加速度カーブは、携帯電話１００の底部または右側部分をタッピングすることが正の角加速度をもたらすことができることを示す。この情報は、角加速度の極性が正と決定される時、第１接触領域として装置１００の下側または右側部分を識別するために使われる。このように、図４に示された角加速度カーブは、携帯電話１００の上側または左側部分をタッピングすることが負の角加速度をもたらすことができることを表示する。この情報は、角加速度の極性が負であることが決定された時、第２接触領域として前記装置１００の上側または左側領域を識別するために使用されうる。入力装置１１２の第１及び第２地域は、１つ以上の軸１１８によって境界付けられる。例えば、図１Ｂに示された携帯電話１００の第１または右側部分と第２または左側部分とは、軸１１８によって境界付けられる。
【００４２】
本発明のさらに他の実施例によって、慣性の変化は、入力装置の接触によって入力装置の２つの垂直軸周辺で測定されうる。そのような配列によって、入力装置の１つ以上の軸周辺の慣性の変化が入力装置のタッピングに対応するか否かを決定することは、垂直軸それぞれの周辺入力装置の角加速度の１つ以上の大きさ値が制限された区間について臨界値を超過するか否かを決定する段階を含む。関連実施例として、制限された区間の間に臨界加速度値を超過する角加速度それぞれの極性は決定されうる。
【００４３】
一旦、制限された区間の間に臨界加速度値を超過する角加速度それぞれの極性が決定されれば、この極性情報は、装置の接触領域を識別するために使用されうる。入力装置の第１領域は、両角加速度の極性がいずれも正である時、接触領域として識別される。装置の第２領域は、両角加速度がいずれも負である時、接触領域として識別される。装置の第３領域は、第１垂直軸周辺の角加速度の極性が正であり、第２垂直軸周辺の角加速度が負である時、接触領域として識別される。また、装置の第４領域は、第１垂直軸周辺の角加速度の極性が負であり、第２垂直軸周辺の角加速度が正である時、接触領域として識別される。入力装置の各領域は、垂直軸それぞれの部分によって境界付けられうる。
【００４４】
例えば、図１と関連して説明された配列で、位置決定部１３０は、垂直軸１１８それぞれの周辺角加速度で、変化方向に基づいて、入力装置１１２，１１４の接触領域を識別するために設定されうる。前述したように、図１Ｂに示された携帯電話１００の下右側部をタッピングすることは、図４に示された角加速度カーブをもたらし、これは、角加速度で２つの正変化を表示する。位置決定部１３０は、両角加速度の極性が正である時、第１接触領域として入力装置１１２の下右側部を識別できる。このように、図１Ｂに示された携帯電話１００の上左側部をタッピングすることは、角加速度で２つの負変化を表示する。位置決定部１３０は、両角加速度の極性が正である時、第２接触領域として入力装置１１２の上左側部を識別する。
【００４５】
位置決定部１３０はまた、第１垂直軸周辺の角加速度の極性が正であり、第２垂直軸周辺の角加速度が負である時、接触領域として装置の第３領域を識別する。例として、携帯電話１００の上右側部をタッピングすることによってもたらされた、図４に示された角加速度カーブを考える。第１垂直軸１１８周辺の角加速度は正であり、第２垂直軸１２２周辺の角加速度は負である。
【００４６】
位置決定部１３０はまた、第１垂直軸周辺の角加速度の極性が負であり、第２垂直軸周辺の角加速度が正である時、接触領域として装置の第４領域を識別する。例えば、携帯電話１００の下左側部をタッピングすることによってもたらされる、図４に示された角加速度カーブを考える。第１垂直軸１１８周辺の角加速度は負であり、第２垂直軸１２２周辺の角加速度は正である。
【００４７】
さらに他の実施例によって、装置の接触領域を識別する段階は、それぞれの角加速度のうち、ただ１つのみが制限された区間の間に臨界加速度値を超過する時、接触領域として装置の地域のうち何れか１つを境界領域と識別する段階を含む。
例えば、図１Ｂに示された配列を再び考える。このとき、センサー１１６は、入力装置１１２の２つの垂直軸１１８，１２２周辺の慣性変化と関連した信号を発生させる。ユーザが実質的に入力装置１１２の中央の近く、そして右側の角近くをタッピングした場合、単に軸１１８周辺の角加速度のみが制限された区間の間に臨界加速度値を超過するだろう。そして、軸１２２周辺の角加速度は、ほとんどないか、または全くないだろう。それは、実施例で、ユーザは、実質的に軸１２２上の入力装置１１２をタッピングしたためである。境界領域の情報は、垂直軸１１８，１２２それぞれの周辺慣性モーメントによって決定される。望ましくは、センサーは、携帯電話１００の入力領域１０６またはハウジング１２４の中心部の近くに配置される。
【００４８】
さらに他の実施例で、入力装置の角加速度は、１つ以上の軸周辺で測定され、その後、１つ以上の軸周辺の装置の角加速度を決定するために区別される。望ましくは、１つ以上の軸周囲の入力装置の角加速度は、例えば、多重軸加速度計１１６を利用して直接的に測定されうる。
入力装置の１つ以上の軸周辺で測定された慣性の変化は、慣性の変化が入力装置のタッピングに対応するか否かを決定する前にフィルタリングされる。例えば、フィルタ（図示せず）は、慣性の変化が入力装置のタッピングに対応するか否かを決定するプロセッサより先に、プロセッサ１２０によって受信される信号をフィルタリングするために、図１Ｂに示されたセンサー１１６とプロセッサ１２０との間に結合される。フィルタは、角速度または角加速度の測定を変調できる振動を除去する減衰回路でありうる。
【００４９】
さらに他の実施例によって、１つ以上の機能が入力装置の接触地域の識別に基づいて行われうる。１つ以上の機能は、スピーカ１０８のボリュームを制御する機能、ディスプレイ１０４にディスプレイされるメニューをスクローリングする機能、ディスプレイ１０４上にディスプレイされるアイテムのリストをスクローリングする機能、入力領域でリスト内に含まれたリストまたはメニューアイテムを選択する機能、またはディスプレイ上に文字やシンボルをディスプレイする機能を含む。入力装置の接触された領域の識別性に基づいて、１つ以上の機能を行うことを表示する聴覚フィードバックが提供されうる。
【００５０】
さらに他の実施例で、入力装置の複数のタッピングに対応する入力装置の１つ以上の軸周辺の複数の慣性変化は、タイムフレーム内で検出されうる。１つ以上の機能を行うことは、タイムフレーム内で検出される複数のタッピングに対応する識別された接触領域の順序に基づくことができる。関連実施例で、１つ以上の機能を行うことは、タイムフレーム内で検出された複数のタッピングに対応する識別された接触領域の順序と関連した文字を認識する機能を含む。
【００５１】
例えば、図５は、図示された文字を形成するために、入力装置１１２，１１４を利用して入力されうるタッピングの一連の実施例を示す。ユーザは、入力装置１１２，１１４を連続してタッピングすることができ、例えば、３秒のように与えられたいかなる時間フレームでも、図示された適した領域内で連続的にタッピングできる。プロセッサ１２０は、前述された技術を利用して、タッピングされる領域の識別を決定でき、その後、識別された接触領域の順序と関連したディスプレイ１０４または入力領域１０６内の適した文字をディスプレイする。
【００５２】
さらに他の実施例で、入力装置は、１つ以上の口頭命令に基づいて禁止され、入力装置を１つのタイムフレーム内で入力装置と数回接触し、入力装置の手動スイッチを活性化させ、そして、入力装置の近接スイッチを活性化させる。
携帯電話に情報を入力するために、図７に示されたようなコンピュータプログラムの実行命令は、命令実行システム、装置から実行命令を呼び出して実行命令を実行するコンピュータ基盤システム、プロセッサ内蔵システムまたは他のシステムのような命令実行システム装置と共に、またはそれによって利用されるいかなるコンピュータ判読型媒体でも具体化できる。
【００５３】
本発明はまた、コンピュータ可読記録媒体にコンピュータ可読コードとして具現できる。コンピュータ可読記録媒体は、コンピュータシステムによって読取られるデータが保存される全ての種類の記録装置を含む。コンピュータ可読記録媒体の例としては、ＲＯＭ、ＲＡＭ、ＣＤ−ＲＯＭ、磁気テープ、フレキシブルディスク、光データ保存装置があり、また、キャリアウェーブ（例えば、インターネットを通じた伝送）状に具現されるものも含む。また、コンピュータ可読記録媒体は、ネットワークに連結されたコンピュータシステムに分散されて、分散方式でコンピュータ可読コードが保存されかつ実行されうる。
【００５４】
以上、図面及び明細書で最適の実施例が開示された。ここで、特定の用語が使われたが、これは、単に本発明を説明するための目的から使用されたものであり、意味限定や特許請求の範囲に記載された本発明の範囲を制限するために使われたものではない。したがって、当業者ならば、これから多様な変形及び均等な他の実施例が可能であることが分かる。したがって、本発明の真の技術的保護範囲は、特許請求の範囲の技術的思想によって決定されねばならない。
【産業上の利用可能性】
【００５５】
本発明は、例えば、携帯用電子装置に効果的に利用可能である。
【図面の簡単な説明】
【００５６】
【図１Ａ】電子装置に情報を入力するための入力装置及び携帯用電子装置の１実施例を示す図面である。
【図１Ｂ】電子装置に情報を入力するための入力装置及び携帯用電子装置の１実施例を示す図面である。
【図１Ｃ】電子装置に情報を入力するための入力装置及び携帯用電子装置の１実施例を示す図面である。
【図１Ｄ】電子装置に情報を入力するための入力装置及び携帯用電子装置の１実施例を示す図面である。
【図２】不動の状態で、携帯用電子装置表面の上部、底部、左側及び右側部分で携帯用電子装置を接触またはタッピングする場合、携帯用電子装置の角速度を示すグラフである。
【図３】移動状態で、携帯用電子装置表面の上部、底部、左側及び右側部分で携帯用電子装置を接触またはタッピングする場合、携帯用電子装置の角速度を示すグラフである。
【図４】移動状態で、携帯用電子装置表面の上部、底部、左側及び右側部分で携帯用電子装置を接触またはタッピングする場合、携帯用電子装置の角加速度を示すグラフである。
【図５】図１Ａないし図１Ｄに示された入力装置を利用して、所定の文字を入力する実施例を示す。
【図６Ａ】実施例によって、電子装置の回転を促進するための手段及び着脱自在に取り付けるための手段を示す。
【図６Ｂ】実施例によって、電子装置の回転を促進するための手段及び着脱自在に取り付けるための手段を示す。
【図６Ｃ】実施例によって、電子装置の回転を促進するための手段及び着脱自在に取り付けるための手段を示す。
【図７】実施例による携帯用電子装置に情報を入力するための方法を示すフローチャートである。
【符号の説明】
【００５７】
１００    携帯用電子装置
１０２    キーパッド
１０４    ディスプレイ
１０６    入力部
１０８    スピーカ
１１０    マイクロホン
１１２，１１４    入力装置
１１６    センサー
１１８，１２２    軸
１２０    プロセッサ
１２４    ハウジング
１２６    慣性変化測定部
１２８    極性区別部
１３０    位置決定部
【図１Ａ】
2005317031.tif 000003
【図１Ｂ】
2005317031.tif 000004
【図１Ｃ】
2005317031.tif 000005
【図１Ｄ】
2005317031.tif 000006
【図２】
2005317031.tif 000007
【図３】
2005317031.tif 000008
【図４】
2005317031.tif 000009
【図５】
2005317031.tif 000010
【図６Ａ】
2005317031.tif 000011
【図６Ｂ】
2005317031.tif 000012
【図６Ｃ】
2005317031.tif 000013
【図７】
2005317031.tif 000014